(57)【特許請求の範囲】
【請求項１】
近見視力を確認するための棒状部材であって、
一方側の端面に、視力検査に用いられる視力検査記号となる第１の視力検査記号が設けられるとともに、前記一方側の側面に、前記視力検査記号となる第２の視力検査記号が設けられ、他方側が、手で握ることができる把持部となっており、かつ、
前記第２の視力検査記号の視力値は、前記第１の視力検査記号の視力値と異なることを特徴とする、視力検査記号付きの棒状部材。
【請求項２】
近見視力を確認するための棒状部材であって、
前記棒状部材は、箸の一方を構成する箸片であり、その箸片の一方側となる天頂側に、視力検査に用いられる視力検査記号が設けられ、その箸片の他方側となる箸先側が、手で握ることができる把持部となっていることを特徴とする、視力検査記号付きの棒状部材。
【請求項３】
前記天頂側の端面である天頂面に、前記視力検査記号となる第１の視力検査記号が設けられていることを特徴とする、請求項２に記載の視力検査記号付きの棒状部材。
【請求項４】
前記天頂側の側面に、前記視力検査記号となる第２の視力検査記号が設けられており、その第２の視力検査記号の視力値は、前記第１の視力検査記号の視力値と異なることを特徴とする、請求項３に記載の視力検査記号付きの棒状部材。
【請求項５】
前記天頂側の側面に、前記天頂面方向を指し示す指示記号および、前記第１の視力検査記号の視力値を表わす数値が表示されていることを特徴とする、請求項３に記載の視力検査記号付きの棒状部材。
【請求項６】
前記第１の視力検査記号は、一方向側に切れ目が設けられた環状部を備えることを特徴とする、請求項１、３、４および５のいずれか１項に記載の視力検査記号付きの棒状部材。
【請求項７】
前記第１の視力検査記号は、前記切れ目が設けられたランドルト環からなることを特徴とする、請求項６に記載の視力検査記号付きの棒状部材。
【請求項８】
前記天頂側の側面に、前記視力検査記号が設けられていることを特徴とする、請求項２に記載の視力検査記号付きの棒状部材。
【請求項９】
一方側に、視力検査に用いられる視力検査記号が設けられ、他方側が、手で握ることができる把持部となっている、近見視力を確認するための視力検査記号付きの棒状部材が包装されてなる、棒状部材包装体であって、
前記視力検査記号を目から離す位置を表わす目盛りが表示された目盛り表示部材を備えることを特徴とする、棒状部材包装体。
【請求項１０】
請求項１ないし８のいずれか１項に記載の棒状部材が包装されてなる、棒状部材包装体であって、
前記視力検査記号を目から離す位置を表わす目盛りが表示された目盛り表示部材を備えることを特徴とする、棒状部材包装体。
【請求項１１】
前記棒状部材は、前記目盛り表示部材が設けられた支持材に支持されるようにして包装されていることを特徴とする、請求項９または１０に記載の棒状部材包装体。
【発明の詳細な説明】
【技術分野】
【０００１】
この発明は、近見視力を確認することができる、視力検査記号付きの棒状部材、および棒状部材包装体に関するものである。
【背景技術】
【０００２】
視力には、遠くを見る遠見視力と、近くを見る近見視力とがあるものの、学校等では、視力検査といえば、遠見視力の検査が一般的であった。しかし、小学校にもパソコンが導入されたり、職場においてもパソコンによる作業が増加するなどして、パソコン画面を見る時間が長くなり、近見視力を必要とする機会が増えていった。
【発明の開示】
【発明が解決しようとする課題】
【０００３】
ところで、前述のように、近見視力を必要とする機会が増加したにもかかわらず、近見視力の検査は、一般には普及しておらず、その近見視力を簡単には確認することができなかった。
【０００４】
この発明は、上記した従来の欠点を解決するためになされたものであり、その目的とするところは、近見視力を自分で簡単に確認することができる、視力検査記号付きの棒状部材、および棒状部材包装体を提供することにある。
【課題を解決するための手段】
【０００５】
この発明に係る視力検査記号付きの棒状部材、および棒状部材包装体は、前記目的を達成するために、次の構成からなる。すなわち、
請求項１に記載の発明に係る視力検査記号付きの棒状部材は、近見視力を確認するための棒状部材である。この棒状部材は、一方側の端面に、視力検査に用いられる視力検査記号となる第１の視力検査記号が設けられるとともに、前記一方側の側面に、前記視力検査記号となる第２の視力検査記号が設けられ、他方側が、手で握ることができる把持部となっている。そして、前記第２の視力検査記号の視力値は、前記第１の視力検査記号の視力値と異なる。この棒状部材を用いて近見視力を確認するには、棒状部材の把持部を手で握り、棒状部材に設けられた視力検査記号が目の前方にくるように、手を前に出す。そして、棒状部材の視力検査記号を見ることで、自分の近見視力を検査する。このとき、第１の視力検査記号の他に、第２の視力検査記号を見ることでも、自分の近見視力を検査することができる。
また、請求項２に記載の発明に係る視力検査記号付きの棒状部材は、近見視力を確認するための棒状部材である。この棒状部材は、箸の一方を構成する箸片であり、その箸片の一方側となる天頂側に、視力検査に用いられる視力検査記号が設けられ、その箸片の他方側となる箸先側が、手で握ることができる把持部となっている。この棒状部材を用いて近見視力を確認するには、棒状部材の把持部を手で握り、棒状部材に設けられた視力検査記号が目の前方にくるように、手を前に出す。そして、棒状部材の視力検査記号を見ることで、自分の近見視力を検査する。そこで、棒状部材が、箸の一方を構成する箸片であることから、食事の前とか後に、手軽に視力を検査することができ、また、食事の都度に検査することで、継続して近見視力を検査することができる。
【０００６】
また、請求項３に記載の発明に係る視力検査記号付きの棒状部材のように、請求項２に記載の棒状部材において、前記天頂側の端面である天頂面に、前記視力検査記号となる第１の視力検査記号が設けられてもよい。
【０００７】
また、請求項４に記載の発明に係る視力検査記号付きの棒状部材のように、請求項３に記載の棒状部材において、前記天頂側の側面に、前記視力検査記号となる第２の視力検査記号が設けられており、その第２の視力検査記号の視力値は、前記第１の視力検査記号の視力値と異なってもよい。これにより、第１の視力検査記号の他に、第２の視力検査記号を見ることでも、自分の近見視力を検査することができる。
また、請求項５に記載の発明に係る視力検査記号付きの棒状部材のように、請求項３に記載の棒状部材において、前記天頂側の側面に、前記天頂面方向を指し示す指示記号および、前記第１の視力検査記号の視力値を表わす数値が表示されてもよい。
【０００８】
また、請求項６に記載の発明に係る視力検査記号付きの棒状部材のように、請求項１、３、４および５のいずれか１項に記載の棒状部材において、前記第１の視力検査記号は、一方向側に切れ目が設けられた環状部を備えるものであってもよい。これにより、棒状部材をその軸回りに回転することで、第１の視力検査記号における切れ目の方向を、任意の方向に向けることができる。したがって、視力を検査する際には、第１の視力検査記号の、切れ目の方向を任意の方向に向けることで、記憶力に左右されることなく、近見視力を検査することができる。
【０００９】
また、請求項７に記載の発明に係る視力検査記号付きの棒状部材のように、請求項６に記載の棒状部材において、前記第１の視力検査記号は、前記切れ目が設けられたランドルト環からなっていてもよい。
また、請求項８に記載の発明に係る視力検査記号付きの棒状部材のように、請求項２に記載の棒状部材において、前記天頂側の側面に、前記視力検査記号が設けられてもよい。
【００１０】
また、請求項９に記載の発明に係る棒状部材包装体は、一方側に、視力検査に用いられる視力検査記号が設けられ、他方側が、手で握ることができる把持部となっている、近見視力を確認するための視力検査記号付きの棒状部材が包装されてなる、棒状部材包装体であって、前記視力検査記号を目から離す位置を表わす目盛りが表示された目盛り表示部材を備える。これにより、近見視力を検査する際には、目盛り表示部材を使うことで、棒状部材の視力検査記号を、目から正確な距離に置くことができる。
【００１１】
また、請求項１０に記載の発明に係る棒状部材包装体は、請求項１ないし８のいずれか１項に記載の棒状部材が包装されてなる、棒状部材包装体であって、前記視力検査記号を目から離す位置を表わす目盛りが表示された目盛り表示部材を備える。これにより、近見視力を検査する際には、目盛り表示部材を使うことで、棒状部材の視力検査記号を、目から正確な距離に置くことができる。
【００１２】
また、請求項１１に記載の発明に係る棒状部材包装体のように、請求項９または１０に記載の棒状部材包装体において、前記棒状部材は、前記目盛り表示部材が設けられた支持材に支持されるようにして包装されてもよい。
【発明の効果】
【００１３】
この発明に係る視力検査記号付きの棒状部材、および棒状部材包装体によれば、棒状部材を手に持って、その棒状部材の視力検査記号を見ることで、自分の近見視力を検査することができるため、この近見視力を自分で簡単に確認することができる。
【発明を実施するための最良の形態】
【００１４】
以下、この発明を実施するための最良の形態を図面に基づいて説明する。
【００１５】
図１〜図５は、本発明の一実施の形態を示す。図中符号１は、近見視力を確認するための棒状部材である。１０は、前記棒状部材１が包装されてなる、棒状部材包装体である。
【００１６】
棒状部材１は、一方側に、視力検査に用いられる視力検査記号２が設けられ、他方側が、手で握ることができる把持部３となっている。具体的には、棒状部材１は、箸４の一方を構成する箸片４ａであり、その箸片４ａの一方側となる、白色地からなる天頂側に、黒色で表わされた前記視力検査記号２が設けられ、その箸片４ａの他方側となる箸先側が、前記把持部３となっている。そして、図示実施の形態においては、前記一方側（天頂側）の端面、すなわち天頂面５に、前記視力検査記号２となる第１の視力検査記号２ａが設けられ、さらに、前記一方側（天頂側）の側面６に、前記視力検査記号２となる第２の視力検査記号２ｂが設けられている。そして、この第２の視力検査記号２ｂの視力値は、第１の視力値２ａと異なっている。
【００１７】
ここで、第１の視力検査記号２ａは、一方向側に切れ目２０１が設けられた環状部２０２を備えている。詳細には、第１の視力検査記号２ａは、前記切れ目２０１が設けられたランドルト環からなる。同様にして、第２の視力検査記号２ｂは、一方向側（第１の視力検査記号２ａにおける一方向と同一の方向を意味するものではない。）に切れ目２０１が設けられた環状部２０２を備え、詳細には、前記切れ目２０１が設けられたランドルト環からなる。
【００１８】
また、ここにおいて、前記視力検査記号２（２ａ、２ｂ）は、箸４を構成する両箸片４ａ、４ａのそれぞれに設けられている。そして、一方の箸片４ａに設けられた視力検査記号２（図示実施の形態においては、第１の視力検査記号２ａ）の視力値は、もう一方の箸片４ａに設けられた視力検査記号２（図示実施の形態においては、第１の視力検査記号２ａ）の視力値と、異なっている。そして、第２の視力検査記号２ｂは、両箸片４ａ、４ａの第１の視力検査記号２ａ、２ａのいずれの視力値とも異なっている。図示実施の形態においては、一方の箸片４ａにおいては、第１の視力検査記号２ａの視力値は、０．５、第２の視力検査記号２ｂの視力値は、０．１であり、もう一方の箸片４ａにおいては、第１の視力検査記号２ａの視力値は、０．７、第２の視力検査記号２ｂの視力値は、０．１となっている。そして、箸片４ａの側面６には、第１の視力検査記号２ａの視力値を明示するために、天頂面５方向を指し示す三角形状の指示記号７および、視力値を表わす数値Ｎが表示されている。
【００１９】
棒状部材包装体１０は、具体的には、前記両箸片４ａ、４ａ、すなわち箸４が包装されてなる、箸包装体１１からなる。この箸包装体１１は、図４および図５に示すように、箸片４ａの視力検査記号２を目から離す位置を表わす目盛り１２ａが表示された目盛り表示部材１２を備えている。そして、箸４（すなわち、箸片４ａ、４ａ）は、目盛り表示部材１２が設けられた支持材１３に支持されるようにして包装されている。詳細には、目盛り表示部材１２は、厚紙からなる支持材１３を切取り線１３ａで切り取り、不要部分１３ｂを取り除くことで得られる（図５参照）。一方、支持材１３は、目盛り表示部材１２の目盛り１２ａが内側となるように、折曲げ線１３ｃで折り曲げられる。そして、箸４は、その折り曲げられた支持材１３に、紐１４、１４を用いて止められ、その支持材１３とともに、例えば透明な袋１５に入れられる（図４参照）。
【００２０】
次に、以上の構成からなる視力検査記号付きの箸４、および箸包装体１１の作用効果について説明する。この箸４（詳細には、箸片４ａ）を用いて近見視力を確認するには、箸片４ａの把持部３を手で握り、箸片４ａに設けられた視力検査記号２（２ａ、２ｂ）が目の前方にくるように、手を前に出す。そして、箸片４ａの視力検査記号２を見ることで、自分の近見視力を検査する。このように、視力検査記号付きの箸４によると、箸片４ａを手に持って、その箸片４ａの視力検査記号２を見ることで、自分の近見視力を検査することができるため、この近見視力を自分で簡単に確認することができる。ここで、視力検査記号２は、両箸片４ａ、４ａに設けられ、特に、一方の箸片４ａの天頂面５に設けられた第１の視力検査記号２ａの視力値と、もう一方の箸片４ａの天頂面５に設けられた第１の視力検査記号２ａの視力値とは、異なっている。したがって、一方の箸片４ａの第１の視力検査記号２ａの他に、もう一方の箸片４ａの第１の視力検査記号２ａを見ることでも、自分の近見視力を検査することができる。さらに、箸片４ａの側面６に設けられた第２の視力検査記号２ｂの視力値は、両箸片４ａ、４ａの天頂面５に設けられた第１の視力検査記号２ａ、２ａのいずれの視力値とも異なっている。したがって、第１の視力検査記号２ａの他に、第２の視力検査記号２ｂを見ることでも、自分の近見視力を検査することができる。そして、このように、異なる視力値を有する視力検査記号２ａ、２ａ、２ｂを用いることで、自分の近見視力をより正確に検査することができる。そして、視力検査記号２が箸４（詳細には、箸片４ａ）に設けられることで、食事の前とか後に、手軽に視力を検査することができ、また、食事の都度に検査することで、継続して近見視力を検査することができる。
【００２１】
また、特に、天頂面５に設けられた第１の視力検査記号２ａは、一方向側に切れ目２０１が設けられた環状部２０２を備えているため（図示実施の形態においては、ランドルト環からなるため）、箸片４ａをその軸回りに回転することで、第１の視力検査記号２ａにおける切れ目２０１の方向を、任意の方向に向けることができる。したがって、視力を検査する際には、第１の視力検査記号２ａの、切れ目２０１の方向を任意の方向に向けることで、記憶力に左右されることなく、近見視力を検査することができる。
【００２２】
また、箸包装体１１にあっては、箸片４ａを用いて近見視力を検査する際に、目盛り表示部材１２を使うことで、箸片４ａの視力検査記号２を、目から正確な距離に置くことができる。
【００２３】
また、上述の視力検査記号２は、近見視力を確認するためのものであるが、視力のトレーニング用として用いても構わない。すなわち、視力検査記号２を、目から、２０〜３０ｃｍ離し、視力検査記号２を約３秒見つめる。次いで、前方３〜５ｍの位置にある絵、花等の前方対象物を約３秒見つめる。そして、これら視力検査記号２と前方対象物とを交互に見つめることを、約３分間繰り返す。こうして、毛様体筋のストレッチを行なうことで、眼精疲労を取り除くことができ、視力低下の予防を図ることができる。そして、この視力のトレーニングにおいても、視力検査記号２が箸４（詳細には、箸片４ａ）に設けられることで、食事の前とか後に、手軽に視力のトレーニングを行なうことができ、また、食事の都度にトレーニングすることで、継続して視力のトレーニングを行なうことができる。もっとも、以上に示す視力のトレーニングにおいては、視力値の小さい第２の視力検査記号２ｂを用いるのが望ましいが、第１の視力検査記号２ａを用いても構わない。
【００２４】
なお、本発明は、上述した実施の形態に限定されるわけではなく、その他種々の変更が可能である。例えば、棒状部材１は、箸片４ａでなくとも、鉛筆、ボールペン等の筆記具とか、ツボ押し棒とかであってもよい。
【００２５】
また、箸片４ａ（棒状部材１）には、天頂面５と側面６とに、視力検査記号２（２ａ、２ｂ）が設けられるが、天頂面５と側面６とのいずれか一方にのみ設けられてもよい。
【００２６】
また、視力検査記号２は、ランドルト環でなくとも、図６に示すように、一方向側に切れ目２０１が設けられた環状部２０２を備えるスネレン指標であってもよく、また、その他の符号とか、文字、数字、図形等であっても構わない。
【００２７】
また、箸片４ａ（棒状部材１）の二つ以上の側面６に、互いに視力値を異にする、あるいは表示する記号を異にする視力検査記号２を設けるようにしても構わない。また、箸片４ａ（棒状部材１）の、一つの側面６に、視力値を異にする視力検査記号２を、縦方向に複数個並べても構わない。
【００２８】
また、箸包装体１１にあっては、目盛り表示部材１２が設けられた支持材１３の他に、例えば、片面に粘着材を備えたマグネットシートを付属させてもよい。この場合には、付属のマグネットシートを、目盛り表示部材１２に貼り付ければ、この目盛り表示部材１２を、マグネットシートを介して冷蔵庫の扉等に貼ることで保管することができる。
【００２９】
また、箸包装体１１において、箸４が支持材１３に支持されているのであれば、袋１５は無くともよい。
【００３０】
また、目盛り表示部材１２は、支持材１３を切取り線１３ａで切り取ることで得られるが、支持材１３がそのままの状態で目盛り表示部材１２となっていてもよい。また、目盛り表示部材１２は、箸４（箸片４ａ）を支持する支持材１３として機能するものでなくともよい。
【図面の簡単な説明】
【００３１】
【図１】この発明の一実施の形態の、箸の正面図である。
【図２】同じく、箸の拡大平面図である。
【図３】同じく、箸を背面側から見た斜視図である。
【図４】同じく、箸包装体の正面図である。
【図５】同じく、支持材の展開図である。
【図６】この発明の他の実施の形態の、図２相当図である。
【符号の説明】
【００３２】
１  棒状部材
２  視力検査記号
２ａ  第１の視力検査記号
２ｂ  第２の視力検査記号
２０１  切れ目
２０２  環状部
３  把持部
４  箸
４ａ  箸片（棒状部材）
５  天頂面（端面）
６  側面
７  指示記号
１０  棒状部材包装体
１１  箸包装体（棒状部材包装体）
１２  目盛り表示部材
１２ａ  目盛り
１３  支持材
Ｎ  視力値を表わす数値
【図１】
0004633618.tif 000002
【図２】
0004633618.tif 000003
【図３】
0004633618.tif 000004
【図４】
0004633618.tif 000005
【図５】
0004633618.tif 000006
【図６】
0004633618.tif 000007